(57)【要約】【課題】分割型転がり軸受装置の２以上の円弧状セグメントの端部同士を突き合わせてリング状に構成される軸端部シール用リングについて、隣り合う円弧状セグメントの端部同士に潤滑油の漏れを起こすような隙間がなく、また外部からの液体等の侵入を防止できるようにすることである。【解決手段】回転輪である内輪１に保持されて軸端部シール用リング３の内周面に弾性接触するオイルシール４からなる弾性接触シールを備えた二つ割りの分割型転がり軸受装置について、固定輪の一部である上部ハウジング６もしくは下部ハウジング７と軸端部シール用リング３の間に、オイルシール４の接触荷重以上の荷重で軸端部シール用リング３の外周面に弾性接触する高分子材料からなる弾性体５を設ける。【選択図】図１
2019219033.tif 000002
【特許請求の範囲】
【請求項１】
軸周りに分割可能な回転輪及び固定輪と、
２以上の円弧状セグメントの端部同士を突き合わせてリング状に形成され、前記回転輪及び固定輪の間に挿入された軸方向端部が前記固定輪に係止された軸端部シール用リングと、
前記回転輪に保持されて前記軸端部シール用リングの内周面に弾性接触する弾性接触シールと、を備え、
前記固定輪と前記軸端部シール用リングの間に、前記弾性接触シールの接触荷重以上の荷重で前記軸端部シール用リングの外周面に弾性接触する高分子材料からなる弾性体を設けた分割型転がり軸受装置。
【請求項２】
前記軸端部シール用リングが、凸部または凹部を前記固定輪の内周面に設けた凹部または凸部に対して嵌めることにより係止された軸端部シール用リングである請求項１に記載の分割型転がり軸受装置。
【請求項３】
前記弾性体が弾性接触する軸端部シール用リングの外周面が、前記凸部の頂上面または前記凹部の底面である請求項２に記載の分割型転がり軸受装置。
【請求項４】
前記固定輪に係止された軸端部シール用リングが、前記凹部を固定輪の内周面に設けた凹部と対向させて配置し、これらの対向する凹部間に前記弾性体を嵌め入れることにより係止された軸端部シール用リングである請求項１に記載の分割型転がり軸受装置。
【請求項５】
前記弾性体が、ヤング率４．９ＧＰａ以下の高分子材料からなる弾性体である請求項１〜４のいずれかに記載の分割型転がり軸受装置。
【発明の詳細な説明】
【技術分野】
【０００１】
この発明は、分割型転がり軸受装置に関する。
【背景技術】
【０００２】
一般に、転がり軸受を軸周りに複数のセグメントに分割可能に構成することにより、軸径方向から取り付け可能である分割型転がり軸受装置が周知である。
例えば、連続鋳造設備に用いられるロール、自動車や船舶等のエンジンのピストンの往復運動を回転運動に変換するクランクシャフト、建設機械のパイルドライバーの回転軸などを支持する転がり軸受装置は、軸周りに分割可能に設けられている。
【０００３】
連続鋳造設備に用いられるロールのうち、ロールの中央部分が小径の杵形のものは、駆動ロールとして用いられ、このようなロールの一部または全体の耐荷重性を高めるために、ロールの要所を転がり軸受装置で支持している。
【０００４】
ロールの中央部分を支持する軸受装置は、ロールの軸心と直角の径方向から組み込む必要があるので、例えば総ころ型の二つ割り軸受からなる分割型の軸受装置が用いられており、外輪、内輪、ハウジング、パッキンやシール等は、それぞれ少なくとも１か所以上の径方向の切れ目を有していることにより、軸の周りに分割可能である（特許文献１）。
【０００５】
さらに図１、図７及び図８を利用して、一般的な総ころ型の二つ割り軸受からなる分割型転がり軸受装置Ｃの概略構造を説明すると、杵型ロールＢに対し、その小径部Ｂ１に嵌める２分割構造の内輪１と、円筒ころ１１と、外輪２と、上部ハウジング６と、下部ハウジング７と、軸端部シール用リング３（ラビリンスリングとも通称される）と、オイルシール４およびパッキン９を備え、これらは、回転軸である杵型ロールＢの周りに２分割可能である。
【０００６】
そして、杵型ロールＢの小径部Ｂ１の両側の大径部（ロールネック）Ｂ２の対向する両端面の各々には、ラビリンス溝１２に軸端部シール用リング３の端部が僅かな隙間を空けて嵌り合うことによってラビリンスシール１０が形成されている。
【０００７】
また、連続鋳造設備用ロールの支持などに用いられる転がり軸受の軸端部を密封するシール用リングを保持する構造としては、軸端部シール用リング（ラビリンスリング）の内径面側および外径面側にそれぞれ内輪（回転輪）側または外輪（固定輪）側に対し、内輪に固定された樹脂製のシールリングを摺接させた密封構造も知られている（特許文献２）。
【先行技術文献】
【特許文献】
【０００８】
【特許文献１】特開２００９−１８０３１０号公報
【特許文献２】特開２００５−３０８０１３号公報
【発明の概要】
【発明が解決しようとする課題】
【０００９】
しかし、特許文献１に記載される分割型の転がり軸受装置は、軸端部シール用リングの内周面に径方向から圧接するオイルシールという弾性接触シールが設けられており、リップの圧接力によって軸端部シール用リングは、径方向の外側へ押圧される。
【００１０】
そのため、図８に示されるように軸端部シール用リングは、リング径が拡がり、隣り合う円弧状セグメント３ａの端部同士は、隙間Ｓを空けて対向する状態になり、このような状態では本来のシール性が充分に発揮できない。
【００１１】
そのため、図７に示すように、内輪１と上部ハウジング６の間に端部を挿し入れた状態で外輪側に係合して保持される軸端部シール用リング３は、軸受内部の潤滑油やオイルエアの漏れや、軸受外部からの液体等が、図中矢印で示すように侵入しやすくなる場合があった。
【００１２】
また、上記した特許文献２に記載されるような分割型転がり軸受は、軸端部シール用リングの内径面と外径面に樹脂製のシールリングを摺接させており、弾性接触シールを径方向から弾性接触させてオイルシールしていないが、その代わりに転がり軸受の軸端部シール用リングより内部側の内輪と外輪の間にオイルシールを設ける必要が生じ、軸受の内部の構造が複雑になる。
【００１３】
そこで、この発明の課題は、上記した軸端部シール用リングの内周面に圧接する弾性接触シールを備えた分割型転がり軸受装置の問題点を解決し、２以上の円弧状セグメントの端部同士を突き合わせてリング状に構成される軸端部シール用リングに、隣り合う円弧状セグメントの端部同士に潤滑油の漏れを起こすような隙間がなく、また内部構造をできるだけ簡単な構造であるようにしながら、外部からの液体等の侵入を防止でき、本来のシール性を充分に発揮できるようにした分割型転がり軸受装置にすることである。
【課題を解決するための手段】
【００１４】
上記課題を解決するために、この発明においては、軸周りに分割可能な回転輪及び固定輪と、２以上の円弧状セグメントの端部同士を突き合わせてリング状に形成され、前記回転輪及び固定輪の間に挿入された軸方向端部が前記固定輪に所定位置で係止された軸端部シール用リングと、前記回転輪に保持されて前記軸端部シール用リングの内周面に弾性接触する弾性接触シールと、を備えた分割型転がり軸受装置であって、前記固定輪と前記軸端部シール用リングの間に、前記弾性接触シールの接触荷重以上の荷重で前記軸端部シール用リングの外周面に弾性接触する高分子材料からなる弾性体を設けたのである。
【００１５】
上記したように構成されるこの発明の分割型転がり軸受装置は、軸端部シール用リングの内周面に弾性接触シールを圧接させ、しかも弾性接触シールの接触荷重以上の荷重で前記軸端部シール用リングの外周面に高分子材料からなる弾性体を弾性接触させているので、
軸端部シール用リングの内周面が受ける弾性力の反力として外周面に伝わる荷重が、外周面に接触する前記弾性体の僅かな弾性変形と弾性体内部の圧力上昇によって打ち消される。
【００１６】
それによって、弾性接触シールの弾性力で軸端部シール用リングは、殆ど拡径されることなく、軸端部シール用リングを構成する複数の円弧状セグメントの隣接する端部同士は、液密性を損なうようなすき間を発生させることなく、液密に突き合わされる。従って、軸端部シール用リングのシール性は、転がり軸受装置の使用中に安定して充分に発揮され、軸受内部からの潤滑油やオイルエアの漏れがなく、外部からの液体等の侵入も防止できる。
【００１７】
前記軸端部シール用リングの固定輪に対する係止は、前記固定輪に設けた凹部または凸部に対し、軸端部シール用リングに設けた凸部または凹部を嵌めて係止することができる。
【００１８】
前記弾性体が弾性接触する軸端部シール用リングの外周面上の位置は、固定輪側に形成された凹部または凸部に対向する軸端部シール用リングの外周面に形成された凸部の頂上面または凹部の底面であることが、前記弾性体を凹部内に閉じ込めて荷重により加圧し、弾性体内部の圧力を確実に上昇させることができ、また安定して保持するために好ましい。
【００１９】
また、上記同様の理由によって、前記弾性体が弾性接触する軸端部シール用リングの外周面上の位置は、固定輪側に形成された凹部または凸部に対向するように軸端部シール用リングの外周面に形成された凹凸部の周囲の外周面であることが好ましい。
【００２０】
さらにまた、前記軸端部シール用リングの係止状態は、固定輪の内周面に設けた凹部と軸端部シール用リングに設けた凹部とを対向して配置し、これらの対向する凹部間に前記弾性体を嵌め入れることにより係止された状態とすることもできる。
【００２１】
このような係止状態であれば、軸端部シール用リングの端部を、軸端部シール用リングの外周面に凸部を形成しなくても軸方向の所定位置に係止できる。しかも、固定輪の内周面と軸端部シール用リングとを弾性体を介してシールしながら、軸端部シール用リングは固定輪に対して相対回転も可能になる。
【００２２】
上記した前記弾性体は、ヤング率４．９ＧＰａ（５００kgf/mm2）以下の高分子材料からなる弾性体であることが、弾性接触シールの接触荷重以上の荷重で前記軸端部シール用リングの外周面を弾性的に支持するために好ましい。
【発明の効果】
【００２３】
この発明は、分割型転がり軸受装置における軸端部シール用リングの内周面に弾性接触シールを弾性接触させると共に、外周面に高分子材料からなる弾性体を前記弾性接触シールの接触荷重以上の荷重で弾性接触させたので、弾性接触シールの弾性力を受けた軸端部シール用リングが拡径されることなく、軸端部シール用リングを構成する複数の円弧状セグメントの隣接する端部同士が、すき間なく液密に突き合わされ、隣り合う円弧状セグメントの端部同士から潤滑油が漏れず、また外部からの液体等の侵入を防止でき、シール性を充分に発揮できる分割型転がり軸受装置になる利点がある。
【図面の簡単な説明】
【００２４】
【図１】第１実施形態を示す一部切り欠きの分割型転がり軸受装置の断面図
【図２】図１の要部を拡大して示す断面図
【図３】第２実施形態の固定輪と軸端部シール用リングと弾性体を示す断面図
【図４】第３実施形態の固定輪と軸端部シール用リングと弾性体を示す断面図
【図５】第４実施形態の固定輪と軸端部シール用リングと弾性体を示す断面図
【図６】第５実施形態の固定輪と軸端部シール用リングと弾性体を示す断面図
【図７】従来例における図２と同じ要部の拡大断面図
【図８】従来例の軸端部シール用リングの拡径した状態を説明する斜視図
【発明を実施するための形態】
【００２５】
この発明の実施形態を以下に添付図面に基づいて説明する。
図１及び図２に示すように、第１実施形態の二つ割りの分割型転がり軸受装置Ａは、軸周りに２分割可能な回転輪である内輪１及び固定輪である外輪２と、内輪１及び外輪２の間に挿入された軸方向端部が、外輪２またはそれと一体の上部ハウジング６もしくは下部ハウジング７の所定位置で係止された軸端部シール用リング３と、回転輪である内輪１に保持されて軸端部シール用リング３の内周面に弾性接触するオイルシール４からなる弾性接触シールとを備え、さらに固定輪の一部である上部ハウジング６もしくは下部ハウジング７と軸端部シール用リング３の間に、オイルシール４の接触荷重以上の荷重で軸端部シール用リング３の外周面に弾性接触する高分子材料からなる弾性体５を備えている。
【００２６】
分割型転がり軸受装置Ａは、内輪１と、内輪１に回転自在に支持される円筒ころ１１を備えていて、耐荷重性に優れた総ころ形のものであり、連続鋳造設備用の杵型ロールＢの小径部Ｂ１に嵌める２分割構造のものである。
【００２７】
分割型転がり軸受装置Ａのハウジングは、固定輪として上部ハウジング６と、下部ハウジング７とからなり、ハウジングも２分割可能である。
【００２８】
軸端部シール用リング３は、２つの円弧状セグメント３ａの端部同士を突き合わせてリング状に液密に連接させたものであり、分割型転がり軸受装置Ａの両端部に軸方向に対向する配置で一対に設けられ、固定輪である上部ハウジング６及び下部ハウジング７に形成された周溝８には、軸端部シール用リング３の外周の角形フランジ状の突条３ｂを嵌め入れて軸方向端部が係止されている。
【００２９】
周溝８の形態としては、図示した四角溝状以外であってもよく、三角形状の蟻溝、五角形以上の角溝または円溝、楕円溝、不定形溝の形態を採用することができる。また、連続する溝状の凹部の形態だけではなく、不連続状の溝または局所的な凹部を配列するか、もしくは固定輪側にランダムに散在させてもよく、周知形態の凹部を採用できる。
【００３０】
さらに上記のような凹部だけではなく、周知形状の凸部との併用、または凹部に代えて凸部を設け、この凸部に嵌る凹部を軸端部シール用リング３の外周面に形成することもできる。
【００３１】
突条３ｂの幅は、周溝８の対向する両壁面に接する幅であるが、外力で突条３ｂが径方向および周方向に摺動可能であるように設定されている。すなわち、軸端部シール用リング３がオイルシール４から受けた接触荷重を弾性体５に伝えるとき、弾性体５の弾性力が反力として突条３ｂに伝わるようにしており、その際、必要であれば突条３ｂは、周溝８内から僅かに押し出されるように径方向に位置をずらすように遊動することができる。このような遊動が可能であるように、予め軸端部シール用リング３とハウジング６、７との間に隙間（クリアランス）を設けておくことが好ましい。
【００３２】
軸端部シール用リング３は、回転輪側の内輪１に設けたゴム状弾性を有するオイルシール４および樹脂製のパッキン９からなる第１のシール装置と、ラビリンスシール１０からなる第２のシール装置を備えており、これら２つのシール装置により、分割型転がり軸受装置Ａの軸端部を液密にシールしている。
【００３３】
オイルシール４は、耐摩耗性もしくは耐油性または両方を兼ね備えたゴム製のリングを周方向の１箇所以上の位置で分割したものであって、軸端部シール用リング３の内側に摺接させ、かつ分割された各セグメントの端部同士は液密に密接させている。
【００３４】
このようなオイルシール４は、１以上のシールリップ(図示せず)を有することが、安定したシール性を発揮させるために好ましく、例えば断面がＶ字などの二重のシールリップを有するものも好ましい。さらに、金属環で補強されて弾性ゴムからなるシールリップを周囲に一体形成したものや、シールリップを補助するバネを組み込んだ複合材料からなるものであってもよい。
【００３５】
パッキン９は、断面が角形のグランドパッキンを図示したが、その他にも、回転用シールとして、断面がＶ字、Ｕ字、Ｙ字状などの周知形態のものを用いることができる。このようなパッキン９は前記したオイルシール４と併用してシール性を高めることが好ましい。
【００３６】
ラビリンスシール１０は、杵型ロールＢの小径部Ｂ１の両側に対向する一組の大径部Ｂ２の端面にラビリンス溝１２（図２参照）を環状に形成し、これに軸端部シール用リング３の端部を微小隙間を介して非接触状態に嵌め入れて構成されている。
【００３７】
そして、上部ハウジング６及び下部ハウジング７と軸端部シール用リング３との間には、オイルシール４の接触荷重以上の荷重で軸端部シール用リング３の外周面に弾性接触する高分子材料からなる弾性体５を設けている。
【００３８】
弾性体５は、１箇所以上に分割した円弧状セグメントの端部同士を突き合わせてリング状に形成されたものであり、周溝８からなる凹部の底面及び突条３ｂからなる凸部の頂上面に挟まれた状態でこれらに弾性接触している。
【００３９】
また、軸端部シール用リング３の外周面上の弾性体５が弾性接触する位置は、固定輪側の外輪２と一体の下部ハウジング７に及び上部ハウジング６の内周面に形成された周溝８内のものを図示したが、周溝８に代えて突条等の周知形状の凸部を設けた場合には、前記凸部に対向するように、軸端部シール用リング３の外周面に凸部に嵌まる凹部を形成し、この凹部の底面と前記凸部の頂上面の間に弾性体５を配置することができる。
【００４０】
弾性体５は、軸端部シール用リング３の２以上の円弧状セグメント３ａと個別に弾性接触するものであり、例えば軸端部シール用リング３の外周面に沿うように２以上のセグメントの端部同士を突き合わせてリング状に構成された弾性体５を採用できる。
【００４１】
弾性体５は、ヤング率４．９ＧＰａ以下の高分子材料からなる弾性体を採用することが、上記所要荷重を得るために好ましい。因みに、通常のオイルシールを形成している比較的小ひずみのゴムのヤング率（縦弾性係数）が、０．０１〜０．１ＧＰａであるのに対し、本願の発明に用いる弾性体は、０．１ＧＰａを超え、例えば０．５〜４．９ＧＰａであることが好ましい。
【００４２】
このような弾性体５の硬度の調整は、加硫剤等の他に、各種添加剤である老化防止剤や離型剤等を適量含むゴムコンパウンドを用いて、プレス加硫によりゴム状弾性体を製造する際に、常法にしたがって加硫または架橋密度の調整をすることによって行なえる。すなわち、加硫剤、加硫促進剤の選択やそれらの添加量（例えば０．５〜６質量％程度）、プレス加硫時の加熱時間、加熱温度の調整によりゴム硬度の調整を行なうことができる。
【００４３】
弾性体５を構成する高分子材料の具体例としては、合成樹脂、ゴムその他のエラストマー、またはこのような高分子材料と弾性コイルや金属ばね等の機械的要素を併用した複合素材からなる弾性体（図示せず）を採用してもよい。
【００４４】
上記の合成樹脂の具体例としては、ポリアミド（ＰＡ）、ポリアセタール（ＰＯＭ）、ポリウレタン（ＰＵＲ）、ポリブチレンナフタレート（ＰＢＮ）、四フッ化エチレン樹脂（ＰＴＦＥ）などが挙げられ、ロールに対して耐摩耗性に優れた上記のものを採用することが好ましい。
【００４５】
上記ゴムの具体例としては、ポリブタジエン系ゴム、ブタジエン・アクリロニトリル系ゴム、クロロプレン系ゴムなどの耐摩耗性に優れたゴムを用いることが好ましい。
また、耐油性に優れたゴムとして、ニトリルゴム、水素化ニトリルゴム、アクリルゴム、エチレンプロピレンゴム、スチレンブタジエンゴム、シリコーンゴム、パーフルオロエラストマー等のフッ素ゴム等を採用することが好ましい。
【００４６】
上記した高分子材料は、前記した第１のシール装置のオイルシール４およびパッキン９としても使用可能なものである。
このように弾性体５は、弾性接触シールであるオイルシール４の軸端部シール用リング３の内周面に対する接触荷重以上の荷重で軸端部シール用リング３の外周面に弾性接触できるように、所要の圧縮弾性率の高分子材料からなるものを採用している。すなわち、軸端部シール用リング３の外周面の受ける径方向の荷重を内周面の受ける径方向の荷重より大きく作用させている。
【００４７】
そのことによって、オイルシール４の弾性力で軸端部シール用リング３を構成する複数の円弧状セグメント３ａの隣接する端部同士がすき間なく突き合わされ、軸端部シール用リング３のシール性が充分に発揮されて、軸受内部から潤滑油やオイルエアの漏れがなく、軸受外部からの液体等の侵入も防止できる。
【００４８】
図３、図４、図５、図６にそれぞれ示すように、第２、第３、第４、第５実施形態は、固定輪と一体の上部ハウジング６および下部ハウジング７と、軸端部シール用リング３の間の弾性体５（図１）を設ける位置を第１実施形態とは異なる位置に変更し、それ以外の構成は、第１実施形態と同じである。
【００４９】
図３に示す第２実施形態では、弾性体５ａが弾性接触する位置は、上部ハウジング６に形成された周溝８に沿った溝縁部と、軸端部シール用リング３の外周面に形成された凸条３ｂに沿った帯状の裾部との対向する二面の間隙を埋める二筋の帯状部分である。
【００５０】
また、図４に示す第３実施形態では、上部ハウジング６に形成された周溝８に沿った溝縁部の角を面取りするように切り欠き、その切り欠かれた帯状の傾斜面と、軸端部シール用リング３の外周面に形成された凸条３ｂの両裾部に沿った帯状の隅部とで囲まれた断面三角形の二筋の環状間隙を埋めるように、円環状の弾性体５ｂを嵌め入れている。
【００５１】
図５に示す第４実施形態では、上部ハウジング６に形成された周溝８と軸端部シール用リング３の外周面に設けた周溝１３とを対向して配置し、対向する一対の溝で形成された環状空間に角柱状の弾性体５ｃを嵌め入れることにより、軸端部シール用リング３を係止している。
そして、弾性体５ｃは、オイルシール４の軸端部シール用リング３の内周面に対する接触荷重以上の荷重で軸端部シール用リング３の外周面に弾性接触させている。
【００５２】
図６に示す第５実施形態は、第４実施形態における角柱状の弾性体５ｃ（図５）に代えて、円環状の弾性体５ｄを採用したこと以外は、全く同様に構成されたものである。
第４、第５実施形態では、軸端部シール用リング３の外周面に突条等の突起を形成する必要がなく、突条に比べて形成の容易な周溝８、１３によって前述のように所期した作用効果を得ることができる。
【００５３】
上記した第１〜第５実施形態は、上記の構成を備えていることにより、軸端部シール用リング３を構成する複数の円弧状セグメント３ａの隣接する端部同士が、すき間なく液密に突き合わされることになり、隣り合う円弧状セグメント３ａの端部同士に潤滑油の漏れを起こさず、また外部からの液体等の侵入を防止でき、シール性を充分に発揮できる分割型転がり軸受装置になる。
【産業上の利用可能性】
【００５４】
この発明の二つ割り転がり軸受装置等の分割型転がり軸受装置は、例えば連続鋳造設備のロールを支持する転がり軸受として用いられる他、船舶のスクリューの推進軸を支持する転がり軸受、または建設機械であるスクリュー型パイルドライバーの回転軸を支持する転がり軸受などであって、回転軸の径方向から転がり軸受の部品を着脱して組立やメンテナンスが可能な転がり軸受装置として利用可能であり、様々な機器の所要部分に適用できる軸受として汎用性を有するものである。
【符号の説明】
【００５５】
１  内輪
２  外輪
３  軸端部シール用リング
３ａ  円弧状セグメント
３ｂ  突条
４  オイルシール
５  弾性体
６  上部ハウジング
７  下部ハウジング
８、１３  周溝
９  パッキン
１０  ラビリンスシール
１１  円筒ころ
１２  ラビリンス溝
Ａ，Ｃ  分割型転がり軸受装置
Ｂ  杵型ロール
Ｂ1  小径部
Ｂ2  大径部
Ｓ  隙間
【図１】
2019219033.tif 000003
【図２】
2019219033.tif 000004
【図３】
2019219033.tif 000005
【図４】
2019219033.tif 000006
【図５】
2019219033.tif 000007
【図６】
2019219033.tif 000008
【図７】
2019219033.tif 000009
【図８】
2019219033.tif 000010